(57)【要約】      （修正有）【課題】ファイルの管理が容易なファイル管理プログラムを提供する。【解決手段】表示装置に表示されたフォルダのアイコンを他のフォルダのアイコンにドラッグ・アンド・ドロップすると、ドラッグ・アンド・ドロップされたフォルダの同一階層に新規フォルダが作成される。そして、双方のフォルダに格納されているファイルのショートカットファイルが新規作成されたフォルダに格納される。【選択図】図７
2005198064.tif 000002
【特許請求の範囲】
【請求項１】
ファイルを管理するファイル管理プログラムであって、
表示装置に表示された一のフォルダのアイコンが、他の一のフォルダのアイコンにドラッグアンドドロップされると、他の一のフォルダの同一階層に新規フォルダを作成するステップと、
作成した新規フォルダに一のフォルダに格納されているファイルと他の一のフォルダに格納されているファイルとをコピーするステップと、
をコンピュータに実行させるためのファイル管理プログラム。
【請求項２】
ファイルを管理するファイル管理プログラムであって、
表示装置に表示された一のフォルダのアイコンが、他の一のフォルダのアイコンにドラッグアンドドロップされると、他の一のフォルダの同一階層に新規フォルダを作成するステップと、
作成した新規フォルダに一のフォルダに格納されているファイルのショートカットファイルと他の一のフォルダに格納されているファイルのショートカットファイルとをコピーするステップと、
をコンピュータに実行させるためのファイル管理プログラム。
【請求項３】
ファイルを管理するファイル管理プログラムであって、
表示装置に表示された一のフォルダのアイコンが、他の一のフォルダのアイコンにドラッグアンドドロップされると、他の一のフォルダの同一階層に新規フォルダを作成するステップと、
作成した新規フォルダに一のフォルダに格納されているファイルと他の一のフォルダに格納されているファイルの共通ファイルをコピーするステップと、
をコンピュータに実行させるためのファイル管理プログラム。
【請求項４】
ファイルを管理するファイル管理プログラムであって、
表示装置に表示された一のフォルダのアイコンが、他の一のフォルダのアイコンにドラッグアンドドロップされると、他の一のフォルダの同一階層に新規フォルダを作成するステップと、
作成した新規フォルダに一のフォルダに格納されているファイルと他の一のフォルダに格納されているファイルの共通ファイルのショートカットファイルをコピーするステップと、
をコンピュータに実行させるためのファイル管理プログラム。
【請求項５】
前記ショートカットファイルが削除されると、該ショートカットファイルがリンクされたファイルすべてが削除されることを特徴とする請求項２又は４に記載のファイル管理プログラム。
【請求項６】
前記新規フォルダには、一のフォルダのフォルダ名と他の一のフォルダのフォルダ名とを合成したフォルダ名が付与されることを特徴とする請求項１、２、３、４又は５に記載のファイル管理プログラム。
【発明の詳細な説明】
【技術分野】
【０００１】
本発明はファイル管理プログラムに係り、特に画像ファイルを管理するファイル管理プログラムに関する。
【背景技術】
【０００２】
一般にデジタルカメラで撮影された画像データはパーソナルコンピュータ（パソコン）に取り込まれ、パソコンで管理される。しかし、このパソコンに取り込まれる画像データの量が多くなるほど、その管理が大変になり、見たい画像をすぐに見つけ出せなくなるという問題があった。このような問題点を解消すべく、特許文献１には、画像データを保管するに当り、画像データに付属される基本属性から所定のカテゴリ（タイムスタンプ、年月日、撮影条件、解像度、形状など）ごとに画像データを自動分類して保管する電子アルバム装置が提案されている。
【特許文献１】特開２００３−１９９０２８号公報
【発明の開示】
【発明が解決しようとする課題】
【０００３】
しかしながら、特許文献１の電子アルバム装置は、単にタイムスタンプ等のカテゴリで画像データを分類しているため、分類されたカテゴリ内の画像に違いが少ないか、無関係な画像の分類になってしまうおそれがある。たとえば、年月日による分類と時間による分類とでは、時間による分類が年月日による分類をより細分化しただけの関係となり、単なる集合の包含関係になってしまうという欠点がある。また、ファイル容量や解像度による分類では、まったく異なる日時やイベントでの撮影画像が同じカテゴリとなってしまい、カテゴリ内の画像の関連性が低くなってしまうという欠点がある。
【０００４】
本発明は、このような事情に鑑みてなされたもので、ファイルの管理が容易なファイル管理プログラムを提供することを目的とする。
【課題を解決するための手段】
【０００５】
請求項１に記載の発明は、前記目的を達成するために、ファイルを管理するファイル管理プログラムであって、表示装置に表示された一のフォルダのアイコンが、他の一のフォルダのアイコンにドラッグアンドドロップされると、他の一のフォルダの同一階層に新規フォルダを作成するステップと、作成した新規フォルダに一のフォルダに格納されているファイルと他の一のフォルダに格納されているファイルとをコピーするステップと、をコンピュータに実行させるためのファイル管理プログラムを提供する。
【０００６】
本発明によれば、表示装置に表示された一のフォルダのアイコンを他の一のフォルダのアイコンにドラッグ・アンド・ドロップすると、他の一のフォルダの同一階層に新規フォルダが作成される。そして、その新規フォルダに一のフォルダに格納されているファイルと他の一のフォルダに格納されているファイルがコピーされる。
【０００７】
また、請求項２に記載の発明は、前記目的を達成するために、ファイルを管理するファイル管理プログラムであって、表示装置に表示された一のフォルダのアイコンが、他の一のフォルダのアイコンにドラッグアンドドロップされると、他の一のフォルダの同一階層に新規フォルダを作成するステップと、作成した新規フォルダに一のフォルダに格納されているファイルのショートカットファイルと他の一のフォルダに格納されているファイルのショートカットファイルとをコピーするステップと、をコンピュータに実行させるためのファイル管理プログラムを提供する。
【０００８】
本発明によれば、表示装置に表示された一のフォルダのアイコンを他の一のフォルダのアイコンにドラッグ・アンド・ドロップすると、他の一のフォルダの同一階層に新規フォルダが作成される。そして、その新規フォルダに一のフォルダに格納されているファイルのショートカットファイルと他の一のフォルダに格納されているファイルのショートカットファイルとがコピーされる。
【０００９】
また、請求項３に記載の発明は、前記目的を達成するために、ファイルを管理するファイル管理プログラムであって、表示装置に表示された一のフォルダのアイコンが、他の一のフォルダのアイコンにドラッグアンドドロップされると、他の一のフォルダの同一階層に新規フォルダを作成するステップと、作成した新規フォルダに一のフォルダに格納されているファイルと他の一のフォルダに格納されているファイルの共通ファイルをコピーするステップと、をコンピュータに実行させるためのファイル管理プログラムを提供する。
【００１０】
本発明によれば、表示装置に表示された一のフォルダのアイコンを他の一のフォルダのアイコンにドラッグ・アンド・ドロップすると、他の一のフォルダの同一階層に新規フォルダが作成される。そして、その新規フォルダに一のフォルダと他の一のフォルダに共通して格納されているファイルがコピーされる。
【００１１】
請求項４に記載の発明は、前記目的を達成するために、ファイルを管理するファイル管理プログラムであって、表示装置に表示された一のフォルダのアイコンが、他の一のフォルダのアイコンにドラッグアンドドロップされると、他の一のフォルダの同一階層に新規フォルダを作成するステップと、作成した新規フォルダに一のフォルダに格納されているファイルと他の一のフォルダに格納されているファイルの共通ファイルのショートカットファイルをコピーするステップと、をコンピュータに実行させるためのファイル管理プログラムを提供する。
【００１２】
本発明によれば、表示装置に表示された一のフォルダのアイコンを他の一のフォルダのアイコンにドラッグ・アンド・ドロップすると、他の一のフォルダの同一階層に新規フォルダが作成される。そして、その新規フォルダに一のフォルダと他の一のフォルダに共通して格納されているファイルのショートカットファイルがコピーされる。
【００１３】
また、請求項５に記載の発明は、前記目的を達成するために、前記ショートカットファイルが削除されると、該ショートカットファイルがリンクされたファイルすべてが削除されることを特徴とする請求項２又は４に記載のファイル管理プログラムを提供する。
【００１４】
本発明によれば、ショートカットファイルが削除されると、そのショートカットファイルにリンクされたファイルがすべて削除される。
【００１５】
また、請求項６に記載の発明は、前記目的を達成するために、前記新規フォルダには、一のフォルダのフォルダ名と他の一のフォルダのフォルダ名とを合成したフォルダ名が付与されることを特徴とする請求項１、２、３、４又は５に記載のファイル管理プログラムを提供する。
【００１６】
本発明によれば、一のフォルダのフォルダ名と他の一のフォルダのフォルダ名とを合成したフォルダ名が新規フォルダに付与される。たとえば、一のフォルダのフォルダ名が「Ａ」と他の一のフォルダのフォルダ名が「Ｂ」ならば、「ＡＢ」という名のフォルダ名が新規フォルダに付与される。
【発明の効果】
【００１７】
本発明に係るファイル管理プログラムによれば、効率よくファイルを整理でき、ファイルの管理が容易になる。
【発明を実施するための最良の形態】
【００１８】
以下、添付図面に従って本発明に係るファイル管理プログラムを実施するための最良の形態について説明する。
【００１９】
図１は、本発明に係るファイル管理プログラムを実行させるコンピュータ（パソコン）のハードウェア構成例を示すブロック図である。
【００２０】
パソコン１０は、一般的に用いられているタイプのコンピュータであり、本発明に係る画像分類プログラムを実行するための中央処理装置（ＣＰＵ）１２、ＣＰＵ１２における演算結果や画像データ等を一時的に格納するためのＲＡＭ１４、オペレーティングシステム（ＯＳ）や本発明に係る画像分類プログラム、各種アプリケーションプログラム、画像ファイル等を格納するためのハードディスクドライブ（ＨＤＤ）１６、ＣＤ−ＲＯＭに格納されたデータを読み取るためのＣＤ−ＲＯＭドライブ１８、ＣＰＵ１２における演算結果や画像データ等を表示するための表示装置２０、コマンド、数値等を入力するためのキーボード、マウスといった入力装置２２、画像ファイルが格納されたメモリカード２４を接続するためのメモリカードスロット２６、デジタルカメラ２８等と通信ケーブルを介して接続するための入出力端子（たとえば、ＵＳＢ端子）３０、サーバとネットワークを通じて通信するためのモデム３２等を備えており、これらは相互にバス３４で接続されている。
【００２１】
さて、本発明に係るファイル管理プログラムは、画像ファイルを閲覧する画像閲覧プログラム（ビューワー）に組み込まれており、この画像閲覧プログラムの一機能として提供される。
【００２２】
画像閲覧プログラムは、上記パソコン１０のハードディスクドライブ１６にインストールされ、ハードディスクドライブ１６からＲＡＭ１４にロードされてＣＰＵ１２による実行制御がなされる。なお、プログラムは、ＣＤ−ＲＯＭ等に格納したものをＣＤ−ＲＯＭドライブ１８等で読み取って実行してもよいし、また、ネットワークからダウンロードして実行するようにしてもよい。
【００２３】
画像閲覧プログラムを起動すると、図２に示すように、表示装置２０に画像閲覧プログラムのメインウインドウが表示される。
【００２４】
メインウインドウは、画面左側に表示されるフォルダツリー表示領域と、画面右側に表示されるサムネイル表示領域とから構成されている。
【００２５】
フォルダツリー表示領域には、パソコン１０にあるフォルダが階層的に表示される。このフォルダツリー表示領域に表示されたフォルダを選択すると、図３に示すように、選択されたフォルダに格納されている画像ファイルが、サムネイル表示領域にサムネイル形式で一覧表示される。
【００２６】
なお、選択したフォルダ内に画像ファイルが存在しない場合は、サムネイル表示領域には何も表示されず、選択したフォルダ内に更にフォルダが存在する場合には、フォルダアイコンが表示される。図２は選択したフォルダ（ここでは、「ＦｏｌｄｅｒＤ」）にフォルダ（ここでは、「２００３年」、「１２月」、「ストロボ発光」、「クリスマス」）が格納されている場合の表示例が示されている。
【００２７】
図３に示すように、サムネイル表示領域にサムネイル形式で一覧表示された画像ファイルの中から任意の画像ファイルを選択（ダブルクリック）すると、その選択された画像ファイルが別ウインドウで拡大表示される。
【００２８】
また、スライドショーの機能を実行させると、選択されたフォルダに格納されている画像ファイルが一定時間間隔でコマ送りされ、スライドショーが行なわれる。
【００２９】
さて、この画像閲覧プログラムでは、ファイル操作を行なうことができ、サムネイル表示領域に表示されたファイルの切り取り、コピー、削除、名前の変更、ショートカットの作成等の処理を行なうことができる。たとえば、図３に示すように、サムネイル表示領域に表示されたファイルの上にマウスポインタを移動させ、マウスを右クリックすると、ファイル操作のメニューがプルダウンされ、このプルダウンされたメニューの中から所望の処理項目の上にマウスポインタを移動させて、マウスを左クリックすると、選択された処理が実行される。また、サムネイル表示領域に表示されたファイルをサムネイル表示領域又はフォルダ表示領域に表示されたフォルダにドラッグ・アンド・ドロップ（マウスポインタを対象物に合わせ、マウスの左ボタンを押したままマウスを移動し、目的の場所でマウスの左ボタンを離す操作）すると、ドラッグ・アンド・ドロップされたフォルダにファイルが移動する。
【００３０】
フォルダに対しても同様の操作を行なうことができ、フォルダツリー表示領域又はサムネイル表示領域に表示されたフォルダに対して切り取り、コピー、削除、名前の変更、ショートカットの作成等の処理を行なうことができる。
【００３１】
ただし、フォルダのドラッグ・アンド・ドロップ操作に対しては、次の処理が行なわれる。すなわち、サムネイル表示領域又はフォルダツリー表示領域に表示されたフォルダをサムネイル表示領域又はフォルダ表示領域に表示されたフォルダにドラッグ・アンド・ドロップすると、そのドラッグ・アンド・ドロップされたフォルダと同じ階層に新規フォルダが作成され、双方のフォルダに格納されているファイルのショートカットファイルが、新規作成されたフォルダに格納される。
【００３２】
図４は、一のフォルダが他の一のフォルダにドラッグ・アンド・ドロップされた場合における処理の手順を示すフローチャートである。
【００３３】
同図に示すように、マウスの操作情報に基づき一のフォルダが他の一のフォルダにドラッグ・アンド・ドロップされたか否かを判定する（ステップＳ１０）。この結果、一のフォルダが他の一のフォルダにドラッグ・アンド・ドロップされたと判定すると、ドラッグ・アンド・ドロップされた側の他の一のフォルダと同じ階層にフォルダを新規作成する（ステップＳ１１）。そして、双方のフォルダに格納されているファイルのショートカットファイルを作成し、作成したショートカットファイルを新規作成したフォルダに格納する（ステップＳ１２）。
【００３４】
たとえば、図５に示すように、「ＦｏｌｄｅｒＤ」というフォルダ名のフォルダに格納されている「クリスマス」というフォルダ名のフォルダを「２００３年」というフォルダ名のフォルダにドラッグ・アンド・ドロップすると、図６に示すように、「２００３年」というフォルダ名のフォルダと同じ階層にフォルダが新規作成される。
【００３５】
ここで、新規作成されるフォルダには、双方のフォルダのフォルダ名を合成した名前（「ドラッグ・アンド・ドロップされたフォルダのフォルダ名」＋「ドラッグ・アンド・ドロップしたフォルダのフォルダ名」）が付与される。たとえば、上記例の場合、「クリスマス」というフォルダ名のフォルダを「２００３年」というフォルダ名のフォルダにドラッグ・アンド・ドロップしているので、図６に示すように、新規作成されたフォルダには「２００３年クリスマス」というフォルダ名が付与される。
【００３６】
そして、このように新規作成されたフォルダ（「２００３年クリスマス」）に双方のフォルダに格納されているファイルのショートカットファイルを格納する。たとえば、図７に示すように、「２００３年」というフォルダ名のフォルダに「ＤＳＣＦ０００１」、「ＤＳＣＦ０００２」、「ＤＳＣＦ０００３」という３つの画像ファイルが格納され、「クリスマス」というフォルダ名のフォルダに「ＤＳＣＦ０１００」、「ＤＳＣＦ０１０１」、「ＤＳＣＦ０１０２」という３つの画像ファイルが格納されている場合、新規作成された「２００３年クリスマス」というフォルダ名のフォルダには、「２００３年」というフォルダ名のフォルダに格納された「ＤＳＣＦ０００１」、「ＤＳＣＦ０００２」、「ＤＳＣＦ０００３」という３つの画像ファイルのショートカットファイルと、「クリスマス」というフォルダ名のフォルダに格納された「ＤＳＣＦ０１００」、「ＤＳＣＦ０１０１」、「ＤＳＣＦ０１０２」という３つの画像ファイルのショートカットファイルが格納される。
【００３７】
このように、本実施の形態の画像閲覧プログラムでは、サムネイル表示領域又はフォルダツリー表示領域に表示されたフォルダをサムネイル表示領域又はフォルダ表示領域に表示されたフォルダにドラッグ・アンド・ドロップすると、そのドラッグ・アンド・ドロップされたフォルダと同じ階層に新規フォルダが作成され、双方のフォルダに格納されているファイルのショートカットファイルが、新規作成されたフォルダに格納される。これにより、ユーザの好みに応じた画像ファイルの分類を行なうことができ、画像ファイルの管理が容易になる。
【００３８】
また、新規作成されたフォルダには、ドラッグ・アンド・ドロップしたフォルダとドラッグ・アンド・ドロップしたフォルダ双方のフォルダ名を合成したフォルダ名が付与されるので、フォルダ操作の履歴を知ることができ、画像ファイルの管理が容易になる。すなわち、どのフォルダをどのフォルダにドラッグ・アンド・ドロップしたものかが、フォルダ名から推測できるようになり、フォルダ構成を容易に把握できるようになる。
【００３９】
なお、本実施の形態では、ショートカットファイルを新規作成したフォルダに格納することとしているが、双方のフォルダに格納されているファイルを新規作成したフォルダにコピーするようにしてもよい。
【００４０】
また、コピーする場合とショートカットファイルを格納する場合とを選択できるようにしてもよい。これにより、使い勝手が向上する。
【００４１】
なお、本実施の形態のように、ショートカットファイルを格納することにより、少ないファイル容量で済むようになり、ハードディスクドライブを有効に利用することができるようになる。
【００４２】
また、本実施の形態では、１つのフォルダを１つのフォルダにドラッグ・アンド・ドロップした場合を例に説明したが、複数のフォルダを選択して、１つのフォルダにドラッグ・アンド・ドロップすることもできる。この場合、各フォルダに格納されているファイルのショートカットファイルを作成し、新規作成したフォルダに格納する。また、新規作成したフォルダには、各フォルダのフォルダ名を合成したフォルダ名を付与する。
【００４３】
たとえば、図８に示すように、「２００３年」というフォルダ名のフォルダと「クリスマス」というフォルダ名のフォルダを選択して、「ストロボ発光」というフォルダ名のフォルダにドラッグ・アンド・ドロップすると、「ストロボ発光２００３年クリスマス」というフォルダ名のフォルダが新規作成され、そのフォルダには、各フォルダに格納されたファイルのショートカットファイルが格納される。
【００４４】
また、ドラッグ・アンド・ドロップして作成されたフォルダをドラッグ・アンド・ドロップすることもできる。この場合、新規作成したフォルダには、ショートカットファイルのコピーが格納される。
【００４５】
たとえば、図９に示すように、「クリスマス」というフォルダ名のフォルダを「２００３年」というフォルダ名のフォルダにドラッグ・アンド・ドロップして作成された「２００３年クリスマス」というフォルダ名のフォルダを「ストロボ発光」というフォルダ名のフォルダにドラッグ・アンド・ドロップすると、「ストロボ発光２００３年クリスマス」というフォルダ名のフォルダが新規作成される。そして、その新規作成されたフォルダには、「２００３年クリスマス」というフォルダ名のフォルダに格納されていたショートカットファイルのコピーが格納されるとともに、「ストロボ発光」というフォルダ名のフォルダに格納されたファイルのショートカットファイルが格納される。
【００４６】
また、本実施の形態では、一のフォルダを他の一のフォルダにドラッグ・アンド・ドロップすると、そのドラッグ・アンド・ドロップされたフォルダと同じ階層に新規フォルダが作成され、双方のフォルダに格納されているファイルのショートカットファイルが新規作成されたフォルダに格納されるようにしているが、双方のフォルダに共通して格納されているファイルのショートカットファイルを新規作成されたフォルダに格納するようにしてもよい。
【００４７】
すなわち、たとえば、図１０に示すように、「２００３年」というフォルダ名のフォルダに「ＤＳＣＦ０００１」、「ＤＳＣＦ０００２」、「ＤＳＣＦ０００３」という３つの画像ファイルが格納され、「クリスマス」というフォルダ名のフォルダに「ＤＳＣＦ０００３」、「ＤＳＣＦ０１００」、「ＤＳＣＦ０１０１」という３つの画像ファイルが格納されている場合、「クリスマス」というフォルダ名のフォルダを「２００３年」というフォルダ名のフォルダにドラッグ・アンド・ドロップすると、ドラッグ・アンド・ドロップされた「２００３年」というフォルダ名のフォルダと同じ階層に新規フォルダ（フォルダ名「２００３年クリスマス」）が作成され、その新規作成されたフォルダに、双方のフォルダに共通して格納されているファイル（ここでは「ＤＳＣＦ０００３」というファイル名の画像ファイル）のショートカットファイルが格納される。
【００４８】
図１１は、双方のフォルダに共通して格納されているファイルを新規フォルダに格納する場合の処理の手順を示すフローチャートである。
【００４９】
まず、ＣＰＵ１２は、マウスの操作情報に基づき一のフォルダが他の一のフォルダにドラッグ・アンド・ドロップされたか否かを判定する（ステップＳ２０）。この結果、一のフォルダが他の一のフォルダにドラッグ・アンド・ドロップされたと判定すると、双方のフォルダに共通して格納されている画像ファイルの有無を判定する（ステップＳ２１）。この結果、双方のフォルダに共通して格納されている画像ファイルがあると判定すると、ドラッグ・アンド・ドロップされた側の他の一のフォルダと同じ階層にフォルダを新規作成する（ステップＳ２２）。そして、双方のフォルダに共通して格納されているファイルのショートカットファイルを作成し、作成したショートカットファイルを新規作成したフォルダに格納する（ステップＳ２３）。
【００５０】
このように、ドラッグ・アンド・ドロップした双方のフォルダに共通して格納されている画像ファイルのショートカットファイルを新規作成したフォルダに格納するようにしてもよい。このようにファイルを処理することによっても、上記実施の形態と同様に画像ファイルの管理を容易にすることができる。
【００５１】
なお、本例ではドラッグ・アンド・ドロップした双方のフォルダに共通して格納されている画像ファイルのショートカットファイルを新規作成したフォルダに格納するようにしているが、ドラッグ・アンド・ドロップした双方のフォルダに共通して格納されている画像ファイルのコピーを新規作成したフォルダに格納するようにしてもよい。
【００５２】
また、ドラッグ・アンド・ドロップした時、本例のように双方のフォルダに共通して格納されている画像ファイルのショートカットファイルを新規作成したフォルダに格納する処理と、上記実施の形態のように各フォルダに格納されている画像ファイルのショートカットファイルを新規作成したフォルダに格納する処理とを選択できるようにすることが好ましい。この処理の選択は、たとえば次のように行なう。
【００５３】
すなわち、図１２に示すように、一のフォルダを他のフォルダにドラッグ・アンド・ドロップすると、処理を選択するためのダイアログ・ボックスがポップアップ表示され、このダイアログ・ボックス内で実行する処理を選択する。選択は、実行する処理のチェック・ボックスにチェックを入れる（実行する処理のチェック・ボックスにマウス・ポインタを合わせてクリック）ことにより行なわれ、「ＯＫ」ボタンにマウス・ポインタを合わせてクリックすると、選択した処理が実行される。
【００５４】
また、たとえば、図１３に示すように、一のフォルダを右クリックしながら他のフォルダにドラッグ・アンド・ドロップすると、処理を選択するためのプルダウンメニューが表示され、このプルダウンメニューに表示された項目の中から実行する処理を選択する。選択は、実行する処理の項目にマウス・ポインタを合わせることにより行なわれ、クリックすると、選択した処理が実行される。
【００５５】
このように実行する処理を選択可能とすることにより、使い勝手が向上し、より画像ファイルの管理が容易になる。
【００５６】
なお、ドラッグ・アンド・ドロップした時、双方のフォルダに共通して格納されている画像ファイルのコピーを新規作成したフォルダに格納する処理と、各フォルダに格納されている画像ファイルのコピーを新規作成したフォルダに格納する処理とを選択できるようにしてもよい。
【００５７】
また、本実施の形態では、ドラッグ・アンド・ドロップして作成されたフォルダにショートカットファイルを格納しているが、ショートカットファイルが削除された場合は、リンク先のファイルも全て削除する。これにより、ファイルを個別に処理する必要がなくなり、ファイル管理がしやすくなる。
【００５８】
なお、ショートカットファイルのみを削除する場合と、リンク先のファイルも削除する場合とを選択できるようにしてもよい。これにより、使い勝手が向上する。
【００５９】
また、本実施の形態では、本発明に係るファイル管理プログラムを画像ファイルを扱う画像閲覧プログラムに組み込んだ場合を例に説明したが、本発明に係るファイル管理プログラムは、画像ファイル以外のファイル（テキストファイル等）を扱う場合にも用いることができる。
【図面の簡単な説明】
【００６０】
【図１】ＰＣのハードウェア構成を示すブロック図
【図２】画像閲覧プログラムのメインウインドウ画面を示す図
【図３】ファイル操作時のウインドウ画面の表示例を示す図
【図４】フォルダのドラッグ・アンド・ドロップ時における処理の手順を示すフローチャート
【図５】フォルダのドラッグ・アンド・ドロップ操作の説明図
【図６】フォルダのドラッグ・アンド・ドロップ後のウインドウ画面の表示例を示す図
【図７】フォルダのドラッグ・アンド・ドロップによるファイル処理の概念図
【図８】フォルダのドラッグ・アンド・ドロップによるファイル処理の概念図
【図９】フォルダのドラッグ・アンド・ドロップによるファイル処理の概念図
【図１０】フォルダのドラッグ・アンド・ドロップによるファイル処理の概念図
【図１１】フォルダのドラッグ・アンド・ドロップ時における処理の手順を示すフローチャート
【図１２】フォルダのドラッグ・アンド・ドロップ時のウインドウ画面の表示例を示す図
【図１３】フォルダのドラッグ・アンド・ドロップ時のウインドウ画面の表示例を示す図
【符号の説明】
【００６１】
１０…パソコン、１２…中央処理装置（ＣＰＵ）、１４…ＲＡＭ、１６…ハードディスクドライブ（ＨＤＤ）、１８…ＣＤ−ＲＯＭドライブ、２０…表示装置、２２…入力装置、２４…メモリカード、２６…メモリカードスロット、２８…デジタルカメラ、３０…入出力端子、３２…モデム、３４…バス
【図１】
2005198064.tif 000003
【図２】
2005198064.tif 000004
【図３】
2005198064.tif 000005
【図４】
2005198064.tif 000006
【図５】
2005198064.tif 000007
【図６】
2005198064.tif 000008
【図７】
2005198064.tif 000009
【図８】
2005198064.tif 000010
【図９】
2005198064.tif 000011
【図１０】
2005198064.tif 000012
【図１１】
2005198064.tif 000013
【図１２】
2005198064.tif 000014
【図１３】
2005198064.tif 000015